(57)【特許請求の範囲】
【請求項１】
複数の映像情報が、表示画面を規則に沿って分割した一の領域と他の複数の領域とからなる複数の分割領域に各々割り当てて表示される混合画表示部と、
前記複数の分割領域のうち前記一の領域に対応する前記混合画表示部に設けられた偏光素子から成る第１の画像分離機構と、
前記複数の分割領域のうち前記他の複数の領域に対応する前記混合画表示部に設けられ、前記第１の画像分離機構と偏光方向の異なる偏光素子から成る第２の画像分離機構と、
前記混合画表示部に対して所定角度を有して配設された複数の光学手段と、
前記混合画表示部および複数の光学手段に表示された画像を分離して観察可能にする、前記第１の画像分離機構もしくは前記第２の画像分離機構の一方と偏光方向が一致している偏光素子から成る第３の画像分離機構と
を備えた複数画面同時表示装置。
【請求項２】
前記複数の光学手段は、反射による映像の反転と偏光の回転機能を有する
請求項１に記載の複数画面同時表示装置。
【請求項３】
前記複数の光学手段は、鏡である
請求項１に記載の複数画面同時表示装置。
【請求項４】
前記混合画表示部の前記他の複数の領域は、上側領域と、下側領域と、左側中間領域と、右側中間領域とから構成されており、
前記複数の光学手段は前記混合画表示部の上下左右に各々設けられている
請求項１に記載の複数画面同時表示装置。
【請求項５】
前記第１の画像分離機構、第２の画像分離機構、第３の画像分離機構は、直線偏光素子の組み合わせから成る
請求項１に記載の複数画面同時表示装置。
【請求項６】
前記第１の画像分離機構、第２の画像分離機構、第３の画像分離機構は、円偏光素子の組み合わせから成る
請求項１に記載の複数画面同時表示装置。
【請求項７】
前記複数の光学手段は開閉式扉機構を有している
請求項１に記載の複数画面同時表示装置。
【請求項８】
一の映像情報を表示画面の全領域に表示する第１の表示モードと、他の複数の映像情報を、前記表示画面を規則に沿って分割した複数の分割領域に各々割り当てて表示する第２の表示モードとが、フィールド毎に切り換えられて表示される混合画表示部と、
前記混合画表示部に設けられた偏光素子から成る第１の画像分離機構と、
前記混合画表示部に対して所定角度を有して配設された、前記複数の分割領域のそれぞれに対応する複数の光学手段と、
前記混合画表示部および複数の光学手段に表示された画像を分離して観察可能にするための偏光素子から成る第２の画像分離機構と
を備え、
前記第１の画像分離機構又は前記第２の画像分離機構の偏光方向を前記第１および第２の表示モードの切り換えに同期して切り換える
複数画面同時表示装置。
【請求項９】
前記複数の光学手段は、反射による映像の反転と偏光の回転機能とを有する
請求項８に記載の複数画面同時表示装置。
【請求項１０】
前記複数の光学手段は、鏡である
請求項８に記載の複数画面同時表示装置。
【請求項１１】
前記第１の画像分離機構及び第２の画像分離機構は、直線偏光素子の組み合わせから成る
請求項８に記載の複数画面同時表示装置。
【請求項１２】
前記第１の画像分離機構及び第２の画像分離機構は、円偏光素子の組み合わせから成る
請求項８に記載の複数画面同時表示装置。
【請求項１３】
前記混合画表示部の分割領域は、上側領域と、下側領域と、左側中間領域と、右側中間領域とから構成されており、
前記複数の光学手段は前記混合画表示部の上下左右に各々設けられている
請求項８に記載の複数画面同時表示装置。
【請求項１４】
前記複数の光学手段は開閉式扉機構を有する
請求項８に記載の複数画面同時表示装置。
【請求項１５】
複数の映像情報を、表示画面を規則に沿って分割した一の領域と他の複数の領域とからなる複数の分割領域に各々割り当てて表示する際、前記複数の分割領域のうち前記一の領域において所定の偏光方向に偏光するように表示するとともに、前記他の複数の領域においてその所定の偏光方向と異なる他の偏光方向に偏光するように表示し、
前記表示画面に分割表示された複数の画像のうち少なくとも一つ以上の画像を、前記表示画面の端部に設けた複数の光学手段に表示し、前記表示画面及び複数の光学手段に表示された画像を、前記所定の偏光方向もしくは前記他の偏光方向を有する画像分離手段によって観察する
複数画面同時表示方法。
【請求項１６】
一の映像情報と他の複数の映像情報とからなる複数の映像情報のうち、前記一の映像情報を表示画面の全領域に表示する第１の表示モードと、前記他の複数の映像情報を、前記表示画面を規則に沿って分割した複数の分割領域に各々割り当てて表示する第２の表示モードとを、フィールド毎に切り換え、所定の偏光方向に偏光するように表示し、
前記表示画面及び前記表示画面の端部に設けた、前記複数の分割領域のそれぞれに対応する複数の光学手段に表示された画像を、前記第１および第２の表示モードの表示切り換えと同期して前記所定の偏光方向およびその所定の偏光方向と異なる偏光方向との間で切り換えられる画像分離手段によって観察する
複数画面同時表示方法。
【請求項１７】
一の映像情報と他の複数の映像情報とからなる複数の映像情報を表示する際、その複数の映像情報のうちの前記一の映像情報を所定の偏光方向に偏光するように表示するとともに、前記他の複数の映像情報をその所定の偏光方向と異なる他の偏光方向に偏光するように表示し、前記所定の偏光方向もしくは前記他の偏光方向を有する画像分離手段によって観察するための混合画表示部に、複数の映像情報を各々入力する複数の入力工程と、
前記入力された複数の映像情報のうち、複数の光学手段に表示する映像情報を、その表示が反転するように配列反転を行うとともに、規則に沿って画面を分割した各分割領域に順次割り当てて、入れ子状に構成された複数画面表示用映像情報を生成する工程と
を有する複数画面同時表示方法。
【請求項１８】
一の映像情報と他の複数の映像情報とからなる複数の映像情報を表示する際、その複数の映像情報のうちの前記一の映像情報を所定の偏光方向に偏光するように表示するとともに、前記他の複数の映像情報をその所定の偏光方向と異なる他の偏光方向に偏光するように表示し、前記所定の偏光方向もしくは前記他の偏光方向を有する画像分離手段によって観察するための混合画表示部に、複数の映像情報を各々入力する複数の入力工程と、
前記入力された複数の映像情報のうち、少なくとも一つ以上の映像情報を加工する工程と、
規則に沿って画面を分割した各分割領域に順次割り当てて、入れ子状に構成された複数画面表示用映像情報を生成する工程と
を有する複数画面同時表示方法。
【請求項１９】
前記加工された映像情報は、入力された映像情報の静止画像、抽出画情報、一部消去画情報、拡大画情報、視点を換えた画像情報である
請求項１８に記載の複数画面同時表示方法。
【請求項２０】
一の映像情報と他の複数の映像情報とからなる複数の映像情報を表示する際、その複数の映像情報のうちの前記一の映像情報を所定の偏光方向に偏光するように表示するとともに、前記他の複数の映像情報をその所定の偏光方向と異なる他の偏光方向に偏光するように表示し、前記所定の偏光方向もしくは前記他の偏光方向を有する画像分離手段によって観察するための混合画表示部に、複数の映像情報を各々入力する複数の入力工程と、
前記入力された複数の映像情報のうち、少なくとも一つ以上の映像情報を加工する工程と、
前記入力された複数の映像情報と前記加工された映像情報のうち、複数の光学手段に表示する映像情報を、その表示が反転するように配列反転を行う工程と、
規則に沿って画面を分割した各分割領域に順次割り当てて、入れ子状に構成された複数画面表示用映像情報を生成する工程と
を有する複数画面同時表示方法。
【請求項２１】
前記加工された映像情報は、入力された映像情報の静止画像、抽出画情報、一部消去画情報、拡大画情報、視点を換えた画像情報、文字情報、作画情報である
請求項２０に記載の複数画面同時表示方法。
【請求項２２】
一の映像情報と他の複数の映像情報とからなる複数の映像情報を表示する際、その複数の映像情報のうちの前記一の映像情報を所定の偏光方向に偏光するように表示するとともに、前記他の複数の映像情報をその所定の偏光方向と異なる他の偏光方向に偏光するように表示し、前記所定の偏光方向もしくは前記他の偏光方向を有する画像分離手段によって観察するための混合画表示部に表示される前記複数の映像情報のうち、複数の光学手段を介して表示される映像情報が、その表示が反転するように配列反転が行われ、規則に沿って画面を分割した各分割領域に順次割り当てられ、入れ子状に構成されて記録されている
記録媒体。
【発明の詳細な説明】
【０００１】
技術分野
本発明は、一つの表示面にて多数の画像を表示する複数画面同時表示装置および複数画面同時表示方法と、映像情報を複数画面表示用装置に表示するための映像信号生成装置および記録媒体に関する。
【０００２】
背景技術
情報化時代を迎え一つの表示装置で、より多くの情報を表示したいという要求が非常に高くなってきており、マルチウィンドウなど画面を領域ごとに分割して表示する方法がよく用いられている。コンピュータの表示端末等はその好例である。また、パノラマ画像の風景画など大画面で迫力のある画像を楽しみたいという要求も大きくなっている。
その様な事情に鑑み、本発明者は既に「一つの表示面にて２画分の情報を同じ大きさで同時に見える表示装置」について提案している（特開平１１−２４９５９３）。またパノラマの大画面については静止画、特に銀塩写真等においては、引き伸ばしなど、また動画においては映画館の様に投影機を用いる方法がよく行われている。
【０００３】
ここで前記特開平１１−２４９５９３の表示装置の概略を図３０および図３１に示す。図３０は偏光角が水平角４５度で「ハ」の字状に直交している場合にミラーを用いて２枚の画像を分別する表示装置の構成を示している。
表示画面として、ランイ毎に偏光角が直交する偏光板１１ａ，１１ｂが前面に貼られた液晶表示画面１０が用いられ、液晶表示画面１０は奇数ライン、偶数ライン毎に異なる画像を表示する。
【０００４】
図３０には４５度右上がり角である偶数ラインに「Ｋ」、４５度右下がり角である奇数ラインに「Ｏ」を表示する場合が示されている。そして４５度右上がり角の偏光板１２を透して見ると、右側の表示画面１０からは偏光角の合った偶数ラインの「Ｋ」の画像だけが分離され、ミラー１３に写った左側の虚像１４からは偏光角が右下がりから右上がりに反転して偏光角の合った奇数ラインの「Ｏ」の画像だけが分別される。
【０００５】
このように、偏光板１１ａ，１１ｂを貼り付けた表示画面１０、ミラー１３および偏光板１２からなる表示装置で簡単に異なる２枚の画像を表示することができる。
また図３１はミラーを用いて２枚の画像を分別する表示装置が適用された商品の外観を表し、図３１Ａは２枚の異なる画像が左右に表示される場合を示し、図３１Ｂは２枚の異なる画像が上下に表示される場合を示している。
【０００６】
偏光板としてはメガネタイプのものが普通であるが、メガネタイプのものに限らず、２面をカバーする程度に広い形状のものを使用することもでき、その場合はメガネを掛ける煩わしさから解放される。
【０００７】
しかしながら、マルチウィンドウの様な方法では一つの画面を細かく分割することになり１つの領域は小さく見難くなり疲れの原因となる。また、特開平１１−２４９５９３の表示装置は、２画面を見えるようにする装置であり３画面以上を同時に表示することが出来ない。
【０００８】
また銀塩写真などの引き伸ばし法においては、当然であるが情報端末の表示装置として用いることは出来ない。また映画館のような投影機においては、投影機内の小さな光源の光を広げて使うために明るさを出すことが不得手なため室内での利用に限られてしまうという問題があった。
【０００９】
また従来の表示装置において、画像の分割方法としては前記以外にも種々考えられ、画像間のクロストークの改善余地のあるところである。
【００１０】
発明の開示
本発明の目的は、Ｎ画面（Ｎ＞２）の画像から生成された混合画を、マルチウィンドウのように細かく細分化されることなく同時に表示、観察することができる複数画面同時表示装置および複数画面同時表示方法と、様々な画像分割方法によりクロストークのない高品位の複数画面画像を得ることができ、原画像と共に、原画像を種々に処理した画像や関連する文字情報、さらにユーザが希望する原画像に係わる文字情報等を同時に見ることができる映像信号生成装置および記録媒体を提供することにある。
【００１１】
本発明の複数画面同時表示装置は、複数の映像情報が、表示画面を規則に沿って分割した一の領域と他の複数の領域とからなる複数の分割領域に各々割り当てられて表示される混合画表示部と、複数の分割領域のうち一の領域に対応する混合画表示部に設けられた偏光素子から成る第１の画像分離機構と、複数の分割領域のうち他の複数の領域に対応する混合画表示部に設けられ、第１の画像分離機構と偏光方向の異なる偏光素子から成る第２の画像分離機構と、混合画表示部に対して所定角度を有して配設された複数の光学手段と、混合画表示部および複数の光学手段に表示された画像を分離して観察可能にする、第１の画像分離機構もしくは第２の画像分離機構の一方と偏光方向が一致している偏光素子から成る第３の画像分離機構とを備えたものである。
【００１２】
また本発明の複数画面同時表示装置の混合画表示部の複数の分割領域は、上側領域と、下側領域と、左側中間領域と、右側中間領域とから構成されており、複数の光学手段は混合画表示部の上下左右に各々設けられるものである。
【００１３】
また本発明の複数画面同時表示装置の第１の画像分離機構、第２の画像分離機構、第３の画像分離機構は、直線偏光素子の組み合わせから成るものである。
【００１４】
また本発明の複数画面同時表示装置の第１の画像分離機構、第２の画像分離機構、第３の画像分離機構は、円偏光素子の組み合わせから成るものである。
【００１５】
また本発明の複数画面同時表示装置は、一の映像情報を表示画面の全領域に表示する第１の表示モードと、他の複数の映像情報を、表示画面を規則に沿って分割した複数の分割領域に各々割り当てて表示する第２の表示モードとが、フィールド毎に切り換えられて表示される混合画表示部と、混合画表示部に設けられた偏光素子から成る第１の画像分離機構と、混合画表示部に対して所定角度を有して配設された、複数の分割領域のそれぞれに対応する複数の光学手段と、混合画表示部および複数の光学手段に表示された画像を分離して観察可能にするための偏光素子から成る第２の画像分離機構とを備え、第１の画像分離機構又は第２の画像分離機構の偏光方向を第１および第２の表示モードの切り換えに同期して切り換えるものである。
【００１６】
また本発明の複数画面同時表示装置の複数の光学手段は、反射による映像の反転と偏光の回転機能を有するものである。
【００１７】
また本発明の複数画面同時表示装置の複数の光学手段は、鏡である。
【００１８】
また本発明の複数画面同時表示装置の第１の画像分離機構及び第２の画像分離機構は、直線偏光素子の組み合わせから成るものである。
【００１９】
また本発明の複数画面同時表示装置の第１の画像分離機構及び第２の画像分離機構は、円偏光素子の組み合わせから成るものである。
【００２０】
また本発明の複数画面同時表示装置の混合画表示部の分割領域は、上側領域と、下側領域と、左側中間領域と、右側中間領域とから構成されており、複数の光学手段は前記混合画表示部の上下左右に各々設けられるものである。
【００２１】
また本発明の複数画面同時表示装置の複数の光学手段は開閉式扉機構を有するものである。
【００２２】
本発明の複数画面同時表示方法は、複数の映像情報を、表示画面を規則に沿って分割した一の領域と他の複数の領域とからなる複数の分割領域に各々割り当てて表示する際、複数の分割領域のうち一の領域において所定の偏光方向に偏光するように表示するとともに、他の複数の領域においてその所定の偏光方向と異なる他の偏光方向に偏光するように表示し、表示画面に分割表示された複数の画像のうち少なくとも一つ以上の画像を、表示画面の端部に設けた複数の光学手段に表示し、表示画面及び複数の光学手段に表示された画像を、所定の偏光方向もしくは他の偏光方向を有する画像分離手段によって観察するものである。
【００２３】
また本発明の複数画面同時表示方法は、一の映像情報と他の複数の映像情報とからなる複数の映像情報のうち、一の映像情報を表示画面の全領域に表示する第１の表示モードと、他の複数の映像情報を、表示画面を規則に沿って分割した複数の分割領域に各々割り当てて表示する第２の表示モードとを、フィールド毎に切り換え、所定の偏光方向に偏光するように表示し、表示画面及び表示画面の端部に設けた、複数の分割領域のそれぞれに対応する複数の光学手段に表示された画像を、第１および第２の表示モードの表示切り換えと同期して所定の偏光方向およびその所定の偏光方向と異なる偏光方向との間で切り換えられる画像分離手段によって観察するものである。
【００２４】
また本発明の複数画面同時表示方法は、一の映像情報と他の複数の映像情報とからなる複数の映像情報を表示する際、その複数の映像情報のうちの一の映像情報を所定の偏光方向に偏光するように表示するとともに、他の複数の映像情報をその所定の偏光方向と異なる他の偏光方向に偏光するように表示し、所定の偏光方向もしくは他の偏光方向を有する画像分離手段によって観察するための混合画表示部に、複数の映像情報を各々入力する複数の入力工程と、前記入力された複数の映像情報のうち、複数の光学手段に表示する映像情報を、その表示が反転するように配列反転を行うとともに、規則に沿って画面を分割した各分割領域に順次割り当てて、入れ子状に構成された複数画面表示用映像情報を生成する工程とを有している。
【００２５】
また本発明の複数画面同時表示方法は、一の映像情報と他の複数の映像情報とからなる複数の映像情報を表示する際、その複数の映像情報のうちの一の映像情報を所定の偏光方向に偏光するように表示するとともに、他の複数の映像情報をその所定の偏光方向と異なる他の偏光方向に偏光するように表示し、所定の偏光方向もしくは他の偏光方向を有する画像分離手段によって観察するための混合画表示部に、複数の映像情報を各々入力する複数の入力工程と、前記入力された複数の映像情報のうち、少なくとも一つ以上の映像情報を加工する工程と、規則に沿って画面を分割した各分割領域に順次割り当てて、入れ子状に構成された複数画面表示用映像情報を生成する工程とを有している。
【００２６】
また本発明の複数画面同時表示方法の加工された映像情報は、入力された映像情報の静止画像、抽出画情報、一部消去画情報、拡大画情報、視点を換えた画像情報である。
【００２７】
また本発明の複数画面同時表示方法は、一の映像情報と他の複数の映像情報とからなる複数の映像情報を表示する際、その複数の映像情報のうちの一の映像情報を所定の偏光方向に偏光するように表示するとともに、他の複数の映像情報をその所定の偏光方向と異なる他の偏光方向に偏光するように表示し、所定の偏光方向もしくは他の偏光方向を有する画像分離手段によって観察するための混合画表示部に、複数の映像情報を各々入力する複数の入力工程と、入力された複数の映像情報のうち、少なくとも一つ以上の映像情報を加工する工程と、入力された複数の映像情報と加工された映像情報のうち、複数の光学手段に表示する映像情報を、その表示が反転するように配列反転を行う工程と、規則に沿って画面を分割した各分割領域に順次割り当てて、入れ子状に構成された複数画面表示用映像情報を生成する工程とを有している。
【００２８】
また本発明の複数画面同時表示方法の加工された映像情報は、入力された映像情報の静止画像、抽出画情報、一部消去画情報、拡大画情報、視点を換えた画像情報、文字情報、作画情報である。
【００３０】
本発明の記録媒体は、一の映像情報と他の複数の映像情報とからなる複数の映像情報を表示する際、その複数の映像情報のうちの一の映像情報を所定の偏光方向に偏光するように表示するとともに、他の複数の映像情報をその所定の偏光方向と異なる他の偏光方向に偏光するように表示し、所定の偏光方向もしくは他の偏光方向を有する画像分離手段によって観察するための混合画表示部に表示される複数の映像情報のうち、複数の光学手段を介して表示される映像情報が、その表示が反転するように配列反転が行われ、規則に沿って画面を分割した各分割領域に順次割り当てられ、入れ子状に構成されて記録されているものである。
【００３１】
発明を実施するための最良の形態
以下、本発明の実施の形態を添付図面を参照して説明する。先ず本発明の実施形態の一つについて構成概念図を図１に示す。図２〜図４は本発明の第１の実施形態例を表し、図２は本発明の第１の実施形態例の概念図、図３は図２の表示面に映し出される混合画の詳細図、図４は上面側から見た構成図である。
【００３２】
また図５および図６は本発明の第２の実施形態例を表し、第１の実施例の左右方向の拡張面、表示面に対して上下方向に展開した例である。図７は本発明の第３の実施形態例を表し、表示面の上下左右方向に拡張展開自在とした例である。図８は切り替えメガネを用いた第４の実施形態例を表し、時間経過、表示装置の表示面、画像分離機構の偏光方向、表示画像を示している。図９は本発明の表示画面を用いた移動式表示装置の一例について示す図である。
【００３３】
図１に示されるように本発明は、複数の映像情報が複数の分割領域に各々割り当てられて表示される混合画表示部Ｘと、該混合画表示部Ｘに対して所定角度を有して配設されたミラーＭ（光学手段）と、所定の偏光方向を有した画像分離機構Ｅとで構成される。
【００３４】
前記混合画表示部Ｘの表示面は表示機能を持ってさえいれば良く、液晶表示素子（以下ＬＣＤと称する）、冷陰極管（以下ＣＲＴと称する）、ＬＥＤディスプレイ、プラズマディスプレイ（ＰＤＰ）、ＥＬ、ＦＥＤ等がよく用いられる。
【００３５】
また表示面にスクリーン方式の投影機を用いることで大画面化が容易となる。この場合スクリーンで偏光等の分離機能に用いている手段が乱れてはいけない。また単に紙にかかれた絵でも良いが、其々の画の表示領域毎に偏光方向を変えておくなど、混合画が取り出し可能な形で表示させてあることが必要である。
【００３６】
図中の各斜線は偏光方向を代表して示した一例である。画像分離機構Ｅとしては、互いに直交した偏光、円偏光を用いる方法や時間ごとに切り替わる液晶シャッタを用いる方法等がよく用いられる。
【００３７】
表示された混合画は領域ごとに所定の位置に設置されたミラーＭにより写し出される。観察者から見て分離して表示したい範囲の画のみがミラーＭに写る様、設置されることが望ましい。ミラーＭは、表示装置の上下左右に通常設置されるが、表示画のうちの必要領域が観測者から見て写っている領域に設置させれば良く、その他設置数等に制限はない。表示面はそのミラーＭの数だけに拡張されて表示されることとなる。ミラーＭは単なる鏡であれば良いが、画像の分離機構を乱さない範囲でレンズ、プリズム等の機能をもつ光学素子を間に挟むようにしても良い。単なるミラーによる奇数回反射の場合は画像を偏光方向が反転することとなる。
【００３８】
一方ミラーＭによる偶数回反射および表示面からの光をそのまま観察する場合は画像、偏光などの反転はない。この分離機能の詳細については後の実施例で詳細に述べることになるが、観察者はこのようにして分割された画像を偏光子などの画像分離機構Ｅを経て観測することにより、領域ごとに取り出された別々の画像Ａ〜Ｄを観測することが可能となる。
【００３９】
図２〜図４に、表示面の互いに直交した偏光を用い、左右にミラーが設置された第１の実施形態例を示す。図中各斜線は偏光方向を代表して示した一例である。図２はその表示面の混合画の詳細構成図、図３は第１の実施形態例を上から見た図、図４は、構成概念図（斜視図）である。
【００４０】
この第１の実施形態例における混合画表示部（表示面２０）の分割領域は、表示画面を横方向の帯状に分割した一方の領域から成る第１の領域（図示（１））と、該横方向の帯状に分割した他方の領域を左右に２分割した第２、第３（図示（２）、（３））の領域とで構成されており、光学手段（ミラー）は表示面２０の左右に所定角度θ１、θ２をもって配設されている。
【００４１】
図２に示されるように、表示面２０の第１の領域（１）には左上がり方向水平角４５度の偏光が、第２、第３の領域（２）、（３）には右上がり方向水平角４５度の偏光が画素のラインごとに直交する方向に偏光方向を持つような画像分離機構（図示各斜線）が設けられている。
【００４２】
これは、ライン毎に偏光板を直交するように貼り付けても良いし、観察者側から見て全面一方向の偏光板に、ライン毎に半波長板を貼り合わせても良い。また画像の分離に円偏光を用いても良い。この場合先にあげた右上がり偏光、左上がり偏光を右円偏光、左円偏光と入れ替えて用いる。
【００４３】
またこの例では後述のように、画像信号を送り出す際にインターレース信号のフィールド単位の信号に其々第１の画像、第２、第３の画像信号を其々用いると便利であるため、ライン交互に貼り合わせる説明をしたが、この画像分離機構の形状は、分離したい領域毎に其々の画像を映しさえすれば、まだら模様、市松模様などその形状が限定されるものではない。
【００４４】
その混合画として映す画像は、第１領域（１）には表示面の正面に映す画像（図４に示す「Ａ」）を表示し、第２、第３の領域（２）、（３）には其々画面左側、右側に映す画像（図４に示す「Ｂ」，「Ｃ」）を左右反転させて表示する。
【００４５】
その表示面に対して左右方向にミラーを設置して正面から観察する場合のミラーの配置と観察者の位置を示したものが図３である。図中第１のミラー３１には左側の画像が、第２のミラー３２には右側の画像が其々写る。この例では左右のミラー３１，３２の大きさは等しく、写る混合画像領域は表示面２０の中心までとして挙げたが、左右のミラー３１，３２の大きさは左右に表示したい画像の画角に応じて変えることが出来る。尚図中Ｖ１，Ｖ２は仮想画面を示している。
【００４６】
すなわちその比がａ：ｂであれば、図２の表示面２０の大きさを２Ｈとして第２の領域（２）と第３の領域（３）の横方向の長さを其々２ａＨ／（ａ＋ｂ），２ｂＨ／（ａ＋ｂ）とし、それらに応じて第１，第２のミラー３１，３２の大きさを其々２ａＨ／（ａ＋ｂ），２ｂＨ／（ａ＋ｂ）とする。
【００４７】
このように構成された表示装置を観察している様子を示したのが図４である。第１、２のミラー３１，３２には其々左側、右側に写す画像と偏光方向が反転して写ることになる。これを観察者Ｉは画像分離機構４０、つまり第１の領域（１）と同じ偏光方向を持つ例えば偏光板を経て観察すると、図示のように混合画表示面２０には図２で述べた第１の領域（１）の偏光方向の画像のみが観察され、正面に映す画像（図中Ａ）が観察される。
【００４８】
また第１、第２のミラー３１，３２により偏光方向が反転するため、第１の領域（１）の偏光方向と観察者側の画像分離機構４０の偏光方向とは直交した方向となり、其々図２の第２、第３の領域（２）、（３）の偏光方向の光のみが観察され、左右に写す映像（図中Ｂ，Ｃ）が映し出される。その結果図示のような表示面２０の左右に広がった大画面を観察することが出来る。尚前述した画像分離に円偏光を用いる場合は、ミラー３１，３２により円偏光の回転の向きが反転するので、図４の画像分離機構４０に、第１の領域（１）と同じ向きの円偏光を用いる。
【００４９】
図５および図６に表示面の上下方向に拡張自在とした第２の実施形態例を示す。図５は表示面の混合画に関する詳細を示している。この第２の実施形態例における混合画表示部（表示面２０）の分割領域は、表示画面を横方向の帯状に分割した一方の領域から成る第１の領域（図示（１））と、該横方向の帯状に分割した他方の領域を上下に２分割した第２、第３の領域（図示（２）、（３））とで構成されており、前記光学手段（ミラー）は前記表示面２０の上下方向に所定角度をもって配設されている。
【００５０】
この第２の実施形態例においても図２の第１の実施形態例と同様に第１の領域（１）と第２、第３の領域（２）、（３）の偏光方向は直交するよう構成される。図中各斜線は偏光方向を代表して示した一例であり、該斜線の偏光方向を持つ画像分離機構が設けられている。
【００５１】
また直線偏光の代わりに円偏光を用いても良いのは第１の実施形態例と同様である。表示面上部の第２の領域（２）には表示面上部に映す画を、表示面下部の第３の領域（３）には表示面下部に映す画像を各々表示する。図６は第２の実施形態例の全体の構成を示しており、観察者Ｉ側に図示偏光方向を持つ画像分離機構５０を設け、表示面２０の上下にミラー３３，３４を配設したことを除けば第１の実施形態例と同様である。
【００５２】
図７に表示面の上下左右に拡張自在とした第３の実施形態例を示す。この第３の実施形態例における混合画表示部（表示面２０）の分割領域は、表示画面を横方向の帯状に分割した一方の領域から成る第１の領域（１）と、該横方向の帯状に分割した他方の領域の縦方向中央部を左右に２分割して成る第２、第３の領域（２）、（３）と、前記他方の領域のうち前記第２、第３の領域（２）、（３）で区分された縦方向端部から成る第４、第５の領域（４）、（５）とで構成されており、前記光学手段（ミラー）は前記表示面２０の左右方向および上下方向に各々所定角度をもって配設されている。
【００５３】
図中各斜線は偏光方向を代表して示した一例であり、該斜線の偏光方向を持つ画像分離機構が設けられている。図のように表示面２０の上下方向中央部には、前述の第１の実施形態例を適用し、左右画像と正面画の混合画を表示し、かつその表示した領域のみ写るように、大きさ角度を調整したミラー３１，３２を配設する。
【００５４】
また残りの表示面２０の上部と下部には前述の第２の実施形態例を適用し、同様に表示面の上下に其々上部画像、下部画像の混合画を表示し、かつその表示した領域のみ写るように、大きさ角度を調整したミラー３３，３４を各々配設する。そして観察者側に図示偏光方向を持つ画像分離機構６０を設けることにより、図７Ｂのように表示面の上下左右に自在に拡張された画像を表示し、観察することが可能となる。
【００５５】
図８に時間経過により混合画の表示画像を変える第４の実施形態例を示す。図中左側列から、時間経過ｔ、表示装置の表示面と表示画像及びミラー構成、画像分離機構の偏光方向、表示画像を各々示している。各ミラー３１，３２，３３，３４は其々の領域の画像のみが写る様調整されていることは前記第１の実施形態例〜第３の実施形態例と同様である。
【００５６】
図中各斜線は偏光方向を代表して示した一例である。この第４の実施形態例では、第１の実施形態例〜第３の実施形態例とは異なり、表示面２０に配設されていたライン毎の偏光は用いず、表示面２０全体を１つの偏光方向とする、例えば水平角４５度右上がりの直線偏光を用いる。実際には表示面全体に偏光板を貼れば良い。
【００５７】
図８においては、表示面正面、左、右、上、下に映す映像を其々（１）、（２）、（３）、（４）、（５）で示しており、そして各分割領域（２）、（３）、（４）、（５）は、前記図７の分割領域（２）、（３）、（４）、（５）に対応している。
【００５８】
いま第１フィールドＦ１の時間においては（１）を映し、観察者は右上がり偏光の画像分離機構を経て観察することによって、表示面正面に（１）を観察し、左右上下のミラー３１〜３４には何も観察されない。
【００５９】
次に第２フィールドＦ２においては図示のように表示面２０の左、右、上、下の領域に（２）、（３）、（４）、（５）を表示する。観察者はこれに同期して動作して左上がり偏光となった画像分離機構により表示装置を観察することによって、表示面正面については何も観察されず、表示面の左右上下に其々（２）、（３）、（４）、（５）を観察するものである。
【００６０】
そして第３のフィールドＦ３、第４フィールドＦ４においては前記動作を繰り返すという駆動を、高速、例えば３０Ｈｚ以上にて行うことにより、観察者は画面中央には（１）の画像を、周辺には（２）、（３）、（４）、（５）の画像を其々所定の領域に観察することが可能となる。
【００６１】
各フィールドＦ１〜Ｆ４における前記駆動方式は一例であり、これに限定されるものではない。また偏光の代わりに円偏光を用いても良く、偏光板の上に４分の１波長板を配設する事で実現される。この場合は画像分離機構として右向き左向き円偏光切換シャッタを用いる。
【００６２】
図９に、図２〜図７の実施形態例の表示装置を、移動可能に構成するとともに、前記光学手段（ミラー）に開閉式扉機構を有するように構成した第５の実施形態例を示す。図９において、６６は観察者側の画像分離機構であり、７０は移動可能台６５上に載置された移動式表示装置である。
【００６３】
本発明の表示装置には、表示面の周辺にミラーを配設することになるが、第５の実施形態例においてはこのミラーを上下左右開閉式とした。すなわち観音扉７１〜７４の裏側にミラー８１〜８４を配設している。この様にすることで移動時や表示装置不使用時には観音扉７１〜７４を閉めた状態にすれば、汚れ砂塵からミラー８１〜８４および表示面を守ることが出来、表示時のミラーの配設も容易となる。
【００６４】
また本発明の複数画面同時表示方法における第１の実施形態例は、前記図２〜図７、図９で述べた構成において、複数の映像情報を、表示画面を規則に沿って分割した複数の分割領域に各々割り当てて表示し、前記表示画面に分割表示された複数の画像のうち少なくとも一つ以上の画像を、前記表示画面の端部に設けた複数の光学手段に表示し、前記表示画面及び複数の光学手段に表示された画像を画像分離手段によって観察するものである。
【００６５】
また本発明の複数画面同時表示方法における第２の実施形態例は、前記図８および図９で述べた構成において、複数の映像情報のうち、一方の映像情報を表示画面の全領域に表示する第１の表示モードと、他方の複数の映像情報を、前記表示画面を規則に沿って分割した複数の分割領域に各々割り当てて表示する第２の表示モードとを、フィールド毎に切り換えて表示し、前記表示画面及び前記複数の光学手段に表示された画像を前記第１および第２の表示モードの表示切り換えと同期して切り換えられる画像分離手段によって観察するものである。
【００６６】
尚本発明のその他の実施形態例として、以下のような構成が挙げられる。
【００６７】
すなわち、前記複数画面表示装置に表示する映像を、隣接して分離された画面上に連続した画像が表示されるよう配置するものである。また前記夫々の装置を複数個配置して、同時に多画面を見られるように構成するものである。また前記夫々の装置を両眼用に配置して、両眼で見るように構成するものである。
【００６８】
また前記光学手段はミラーに限らず同様の機能を持つ他の手段で構成しても良い。
【００６９】
以上説明したように本発明の複数画面表示装置および複数画面表示方法によれば、複数の画像から生成された混合画を、マルチウィンドウのように細かく細分化されることなく同時に表示、観察することができる。例えば上下左右に画面を出して、５画面を同時に楽しむことが出来る。また光学手段の数を増やせばそれだけ画面の数を増やすことができる。また多画面表示やパノラマ大画面の表示が可能となる。さらに移動式表示装置として構成した場合、砂塵などからの防護のため、移動、保管時には表示装置に扉をつけるが、その扉をミラー（光学手段）として用いることにより無駄がない。
【００７０】
次に、本発明の複数画面同時表示方法の他の実施形態例および本発明の映像信号生成装置、記録媒体の各実施形態例を説明する。
【００７１】
図１０〜図１３ははすべて複数の映像情報が複数の分割領域に各々割り当てられて表示される混合画表示画面（例えば図３０、図３１の表示装置の液晶表示画面１０）の様子を示している。
【００７２】
図１０は表示画面を横方向の帯状に分割したものであって、第１画像表示領域Ｓ１と第２画像表示領域Ｓ２を交互の入れ子にしたものである。図１１は表示画面を縦方向の帯状に分割したものであって、第１画像表示領域Ｓ１と第２画像表示領域Ｓ２を交互の入れ子にしたものである。図１２は表示画面を複数の矩形領域に分割したものであって、第１画像表示領域（図示１）と第２画像表示領域（図示２）を市松状に入れ子にしたものである。
【００７３】
さらに図１３は、表示画面を横方向の帯状に分割し第１および第２画面表示領域Ｓ１，Ｓ２を交互の入れ子にするとともに、各画像の境界部位に黒の情報ＢＬを付加したものである。このように各画像の境界部位に黒の情報ＢＬを付加することは、前記図１１および図１２のものにも適用できるものである。
【００７４】
上記のように構成された複数画面表示用映像情報は、所定角度を有する第１および第２の画像表示画面を有した表示装置、例えば図３０、図３１の表示装置に入力して表示するが、更にミラーを１枚追加して上中下、左中右の３画面に対応する、３つの画像を順次入れ子にした映像情報として構成しても良い。
【００７５】
上記のように構成された複数画面表示用映像情報によって表示を行うと、各分割領域どうしの境界部位に黒の情報が付加されているため、画像間のクロストークを低減することが可能となる。
【００７６】
ここで前記「入れ子状の映像情報」とは、例えば図３０の表示装置の液晶表示画面１０に設けられた２種の偏光板の各々の表示位置に対応して異なる画像を表示するように走査線上のデータを交互に設けるものである。
【００７７】
すなわち例えば図１５に示すように液晶表示画面１０、ミラー１３に「ＡＢ」と表示する場合は、混合画が表示される液晶表示画面１０を例えば水平方向に複数に分割し、該分割された各領域に「Ａ」と「Ｂ」のデータを交互に割り当てて表示するものである。そしてその際、ミラー１３に写されることになる「Ｂ」のデータは、配列反転を行って前記表示画面１０に入力するものである。尚図１５ＢのＰはミラー側になる元絵を示している。
【００７８】
次に前記図１０〜図１３で述べた複数画面表示用映像情報を生成するためのシステム構成を図１４を参照して説明する。第１映像信号ＶＳ１および第２映像信号ＶＳ２は各々デジタル化装置９１，９２によってデジタル情報化され、画像メモリ９３，９４に一次蓄積される。これらデータは２画面表示用映像信号変換装置９５によって前述した「入れ子状の映像情報」に変換される。
【００７９】
すなわち２画面表示用映像信号変換装置９５は、前記第１映像信号ＶＳ１および第２映像信号ＶＳ２のうち、ミラー側となるデータの表示が反転するように配列反転を行うとともに、所定規則に沿って、すなわち図１０〜図１３のように画面を分割した各分割領域（画像表示領域）に前記第１映像信号および第２映像信号データを交互に割り当てて、入れ子状に構成された複数画面表示用映像情報を生成する。
【００８０】
この複数画面表示用映像情報を画像メモリ９６に蓄積した後、従来例において述べた２画面画像表示装置９７、例えば図３０，図３１の装置に入力することにより、所望の２画面映像を見ることが出来る。また、記録装置９８に入力して光ディスクや磁気テープ等の記録媒体９９に記録して保存することが出来る。
【００８１】
尚前記デジタル化装置９１，９２に入力される映像信号は、ビデオカメラで撮影したもの、放送されてきたもの、ディスク、テープに記録されたもの、パソコン等で作成したものや、それらの混合等が利用できる。
【００８２】
また前記実施形態例では２画面用の画像について述べたが、これに限らず、中心から左右に開いた３画面、中心から上下に開いた３画面、さらに上下左右に開いた５画面にも適用することができ、その場合も前記と同様の作用、効果を奏する。
【００８３】
以上のように本発明によれば、クロストークのない高品位の２画面画像を見ることができる。また３つ以上の画面についても同様の効果が得られる。
【００８４】
次に、本発明を、２つの画像表示画面を有した表示装置に表示するための映像情報を生成する２画面表示用映像情報生成システムに適用した実施形態例を説明する。
【００８５】
第１の実施形態例については図１６〜図２１を参照し、第２の実施形態例については図２２〜図２４を参照し、第３の実施形態例については図２５および図２６を参照し、第４の実施形態例については図２７〜図２９を参照して各々説明する。
【００８６】
第１の実施形態例
この実施形態例は、所定の角度θを有する第１の表示画面と第２の表示画面（例えば第１の表示画面は液晶であり、第２の表示画面はミラーである）とを有する表示装置に表示する映像情報であって、第１の表示画面には原映像情報が、第２の表示画面には原映像情報を加工した映像情報が入れ子の状態に構成された映像情報を生成したものである。
【００８７】
図１６は第２の表示画面用映像情報を静止画としたものであり、図１６Ａは原映像２０ａを示し、図１６Ｂは２画面表示装置に表示した例を示している。第１表示画面１２１には動画１３１ａで示す原画像が表示され、また第２表示画面１２２には第１表示画面１２１に映し出されている映像（動画１３１ａ）を任意のタイミングで静止画１３２ａとして取り込んだ映像が映し出されている。尚図１６で示した２画面表示用の映像情報は、後述する２画面表示用映像情報生成システムによって生成されるものである。
【００８８】
ここで前記「入れ子の状態に構成された映像信号」とは、第１表示画面１２１に設けられた２種の偏光板の各々の表示位置に対応して異なる画像を表示するように走査線上のデータを交互に設けるものである。
【００８９】
すなわち例えば図１７に示すように第１、第２表示画面１２１，１２２に「ＡＢ」と表示する場合は、混合画が表示される液晶の表示画面１１０を例えば水平方向に複数に分割し、該分割された各領域に「Ａ」と「Ｂ」のデータを交互に割り当てて表示するものである。そしてその際、第２表示画面１２２、すなわちミラーに写されることになる「Ｂ」のデータは、配列反転を行って前記表示画面１１０に表示するものである。尚前記表示画面１１０の分割は、水平方向の分割の他に垂直方向の分割や市松状の分割等が考えられる。尚図１７ＢのＰはミラー側になる元絵を示している。
【００９０】
図１８は第２の表示画面用映像情報を、特定対象を抽出した画像や特定対象を消去した画像としたものであり、図１８Ａは原映像１２０ａを示し、図１８Ｂ，図１８Ｃは２画面表示装置に表示した例を示している。
【００９１】
図１８Ｂにおいて、第１表示画面１２１には原画像１３１ｂが表示され、また第２表示画面１２２には第１表示画面１２１に映し出されている映像（原画像１３１ｂ）のうち特定対象（人物）を抽出した抽出画像１３２ｂが表示されている。
【００９２】
また図１８Ｃにおいて、第１表示画面１２１には原画像１３１ｃが表示され、また第２表示画面１２２には第１表示画面１２１に映し出されている映像（原画像１３１ｃ）のうち特定対象（人物）を消去した消去画像１３２ｃが表示されている。前記特定対象の選択、範囲の設定等は後述の２画面表示用映像情報生成システムによって自在に実行できるものである。
【００９３】
図１９は第２の表示画面用映像情報を、特定部分の拡大画としたものであり、図１９Ａは原映像２０ａを示し、図１９Ｂは２画面表示装置に表示した例を示している。第１表示画面１２１には原画像１３１ｄが表示され、また第２表示画面１２２には第１表示画面１２１に映し出されている映像（原画像１３１ｄ）を任意の画像範囲で選択して取り込み拡大して映し出されている。尚前記取り込む範囲や拡大率は、後述する２画面表示用映像情報生成システムによって自在に実行できるものである。
【００９４】
図２０は第２の表示画面用映像情報を、視点を変えた画像としたものであり、図２０Ａは原映像１２０ｂを示し、図２０Ｂは２画面表示装置に表示した例を示している。第１表示画面１２１には原画像１３１ｅが表示され、また第２表示画面１２２には第１表示画面１２１に映し出されている映像（原画像１３１ｅ）を任意の視点から見直した視点変換画像１３２ｅが映し出されている。前記任意の視点から見直す画像（図）の範囲や視点位置は後述の２画面表示用映像情報生成システムによって自在に実行できるものである。
【００９５】
次に前記図１６〜図２０で述べた２画面表示用映像情報を生成するためのシステム構成を図２１を参照して説明する。まず映像信号ＶＳはデジタル化装置１４１でデジタルデータに変換され、一旦画像メモリ１４２に蓄積される。このデジタルデータは第２画像生成装置１４３において第２表示画面用のデータに変換され、後段の画像メモリ１４４に蓄積される。
【００９６】
これら２つの画像メモリ１４２，１４４に蓄積されたデータから、２画面表示用映像信号変換装置１４５によって前述した「入れ子状の映像情報」に変換される。すなわち２画面表示用映像信号変換装置１４５は、前記データのうち第２表示画面用のデータ、すなわち画像メモリ１４４のデータの表示が反転するように配列反転を行うとともに、所定規則に沿って画面を分割した各分割領域に前記画像メモリ１４２，１４４のデータを交互に割り当てて、入れ子状に構成された２画面表示用映像情報を生成する。
【００９７】
この２画面表示用映像情報を従来例において述べた２画面画像表示装置１４６、例えば図３０，図３１の装置に入力することにより、所望の２画面映像を見ることが出来る。また、記録装置１４７に入力して光ディスクや磁気テープ等の記録媒体１４８に記録して保存することが出来る。
【００９８】
上述した第２画像生成装置１４３は、操作入力装置１４９から所望の第２画面映像を作成するように指示される。すなわち所望の第２画面映像とは、図１６〜図２０で述べた静止画、拡大画、抽出画、消去画、視点変換画等である。
【００９９】
尚第２画像生成装置１４３の機能を単一にして、操作入力装置１４９を省いた２画面表示用映像情報生成システムを構成してもよいことは当然である。
【０１００】
尚前記デジタル化装置１４１に入力される映像信号は、ビデオカメラで撮影したもの、放送されてきたもの、ディスク、テープに記録されたもの等が利用できる。
【０１０１】
第２の実施形態例
この実施形態例は、所定の角度θを有する第１の表示画面と第２の表示画面（例えば第１の表示画面は液晶であり、第２の表示画面はミラーである）とを有する表示装置に表示する映像情報であって、第１の表示画面には原映像情報が、第２の表示画面には前記原映像情報に関連する文字情報が入れ子の状態に構成された映像情報を生成したものである。
【０１０２】
図２２は第２の表示画面用映像情報を文字情報としたものであり、図２２Ａは原映像１２０ａを示し、図２２Ｂは２画面表示装置に表示した例を示している。第１表示画面１２１には原画像１３１ｆが表示され、また第２表示画面１２２には第１表示画面１２１に映し出されている映像（原画像１３１ｆ）に関連する文字情報１３２ｆが映し出されている。尚図２２で示した２画面表示用の映像情報は、後述する２画面表示用映像情報生成システムによって生成されるものである。
【０１０３】
また図２３は第２の表示画面用映像情報を、音声情報を文字化した文字情報としたものであり、図２３Ａは原映像１２０ａを示し、図２３Ｂは２画面表示装置に表示した例を示している。第１表示画面１２１には原画像１３１ｇが表示され、また第２表示画面１２２には第１表示画面１２１に映し出されている映像（原画像１３１ｇ）に関連し、例えばスピーカ１５０から出力される音声情報を文字化した文字情報１３２ｇが映し出されている。尚図２３で示した２画面表示用の映像情報は、後述する２画面表示用映像情報生成システムによって生成されるものである。
【０１０４】
次に前記図２２および図２３で述べた２画面表示用映像情報を生成するためのシステム構成を図２４を参照して説明する。図２４において図２１と同一部分は同一符号をもって示している。
【０１０５】
まず映像信号ＶＳはデジタル化装置１４１でデジタルデータに変換され、一旦画像メモリ１４２に蓄積される。このデータと文字情報ＺＤが２画面表示用映像信号変換装置１４５によって前述した「入れ子状の映像情報」に変換される。
【０１０６】
すなわち２画面表示用映像信号変換装置１４５は、前記データのうち第２表示画面用のデータ、すなわち文字データの表示が反転するように配列反転を行うとともに、所定規則に沿って画面を分割した各分割領域に前記文字データおよび画像メモリ１４２のデータを交互に割り当てて、入れ子状に構成された２画面表示用映像情報を生成する。
【０１０７】
この２画面表示用映像情報を従来例において述べた２画面画像表示装置１４６、例えば図３０，図３１の装置に入力することにより、所望の２画面映像を見ることが出来る。また、記録装置１４７に入力して光ディスクや磁気テープ等の記録媒体１４８に記録して保存することが出来る。ここで文字情報ＺＤは、音声を音声認識装置１５１で認識し文字化装置１５２で文字に変換したものを用いて映像情報を構成することも可能である。また他の言語の翻訳されたものが表示されてもよい。
【０１０８】
第３の実施形態例
この実施形態例は、所定の角度θを有する第１の表示画面と第２の表示画面（例えば第１の表示画面は液晶であり、第２の表示画面はミラーである）とを有する表示装置に表示する映像情報であって、第１の表示画面には原映像情報が、第２の表示画面には前記原映像情報に関連する複数の言語の文字情報の少なくとも１つの文字情報が、入れ子の状態に構成された映像情報を生成したものである。そして 図２５は第２の表示画面用映像情報を、原映像情報に関連する複数の言語の文字情報のうちの２つの言語の文字情報としたものであり、図２５Ａは原映像１２０ａを示し、図２５Ｂは２画面表示装置に表示した例を示している。
【０１０９】
第１表示画面２１には原画像１３１ｈが表示され、また第２表示画面１２２には、第１表示画面１２１に映し出されている映像（原画像１３１ｈ）に関連する複数の言語の文字情報のうち、英語と日本語の２つの言語の文字情報１３２ｈが映し出されている。
【０１１０】
尚図２５で示した２画面表示用の映像情報は、後述する２画面表示用映像情報生成システムによって生成されるものであり、文字情報１３２ｈは、どの言語を選択するかをユーザが選択することができるものであり、また言語に係わらず、映像に関する種々のカテゴリー別の情報が表示されるものである。
次に前記図２５で述べた２画面表示用映像情報を生成するためのシステム構成を図２６を参照して説明する。図２６において図２１と同一部分は同一符号をもって示している。まず映像信号ＶＳはデジタル化装置１４１でデジタルデータに変換され、一旦画像メモリ１４２に蓄積される。このデータと複数の言語別、複数のカテゴリー別、ジャンル別の文字情報ＺＤが２画面表示用映像信号変換装置１４５によって前述した「入れ子状の映像情報」に変換される。
【０１１１】
すなわち２画面表示用映像信号変換装置１４５は、前記データのうち第２表示画面用のデータ、すなわち文字データの表示が反転するように配列反転を行うとともに、所定規則に沿って画面を分割した各分割領域に前記文字データおよび画像メモリ１４２のデータを交互に割り当てて、入れ子状に構成された２画面表示用映像情報を生成する。
【０１１２】
この２画面表示用映像信号変換装置１４５の映像信号が、例えばケーブル、電波の伝送系を介し、或いは記録媒体によって不特定多数のユーザに配信され、２画面表示用映像信号復元装置１６２によって映像情報が復元され、２画面画像表示装置１４６に入力することにより、所望の２画面映像を見ることが出来る。
【０１１３】
また、記録装置１４７に入力して光ディスクや磁気テープ等の記録媒体１４８に記録して保存することが出来る。個々のユーザは、文字情報選択装置１６３から前記復元装置１６２（又は２画面画像表示装置１４６）に指示を入力することで、自分の言語、趣味等に応じて文字情報を選択して見ることが可能となる。また、言語に係わらず、映像に関する種々のカテゴリー別に情報を入れておいてもよい。
【０１１４】
第４の実施形態例
この実施形態例は、所定の角度θを有する第１の表示画面と第２の表示画面（例えば第１の表示画面は液晶であり、第２の表示画面はミラーである）とを有する表示装置に表示する映像情報であって、第１の表示画面には例えば作画情報が、第２の表示画面には作成画像情報が、入れ子の状態に構成された映像情報を生成したものである。
【０１１５】
図２７において、第１表示画面１２１にはパソコン等の作画装置の作画情報１３１ｉが表示されていて、ポインタ１６５等で作画情報１３１ｉを選択し、画像を作成するものであり、そして第２表示画面１２２にはその作成された作成画像１３２ｉが表示される。
【０１１６】
図２７ではカメラ等で撮影した画像に斜線の部分（雲）を付加した状態を示している。尚本実施形態例では、全ての画像がパソコンで作成されてもよいこと、また画像作成装置が有する全ての画像作成機能が利用できることは当然である。
【０１１７】
このように従来では作画情報と作成画像をフルサイズで同時に表示できなかったが、本発明では可能となる。また前記ポインタ１６５によって、表示窓を第１表示画面から第２表示画面に等移動可能とすることで、作業領域を自在に拡張できるものである。
【０１１８】
すなわち図２９に示すように、元々の表示装置の大きさの２倍の大きさの表示面（仮想の表示面Ｖ）にデスクトップ領域を拡大して表示することができる。図２９は横方向に拡張した例を示しているが、これに限らず左右上下に自在に拡張することができる。また作業領域の拡張が自在となり、第１、第２表示面２０ａ１，２０ａ２全体、又は其々での全画面表示が可能となることにより、拡大表示も自在となる。
【０１１９】
次に前記図２７で述べた２画面表示用映像情報を生成するためのシステム構成を図２８を参照して説明する。図２８において図２１と同一部分は同一符号をもって示している。画像作成装置１７０は例えばパソコンであって、この中で所定の画像作成ソフトが稼動する。キーボード等の指示入力装置１７１を介して作画情報が指示される。またスキャナー、ビデオカメラ等の画像入力装置１７２からベースとなる画像を入力してもよい。当然、前記パソコンによってすべての画像を作成してもよい。
【０１２０】
パソコン（画像作成装置１７０）からは作画情報と刻々の作成中の画像が出力されていて、これら２つの情報が２画面表示用映像信号変換装置によって前述した「入れ子状の映像情報」に変換される。
【０１２１】
すなわち２画面表示用映像信号変換装置１４５は、前記作画情報又は作成画像情報のうちいずれか一方の、第２表示画面に表示する側の情報が反転するように配列反転を行うとともに、所定規則に沿って画面を分割した各分割領域に前記作画情報および作成画像情報を交互に割り当てて、入れ子状に構成された２画面表示用映像情報を生成する。
【０１２２】
この２画面表示用映像情報を従来例において述べた２画面画像表示装置１４６、例えば図３０，図３１の装置に入力することにより、所望の２画面映像を見ることが出来る。また、記録装置１４７に入力して光ディスクや磁気テープ等の記録媒体１４８に記録して保存することが出来る。
【０１２３】
以上のように本発明によれば、原映像情報の原画像と共に、原画像の静止画、特定対象物の抽出画、特定対象物の消去画、特定対象物の拡大画、特定対象物の視点を変えた画像や、文字情報、前記原映像情報に付随する音声情報を文字に変換した文字情報や作画情報に基づいて作成された作成画像情報等、原画像を種々に処理した画像や関連する文字情報、さらにユーザが希望する原画像に係わる文字情報等を同時に見ることができる。
【０１２４】
産業上の利用可能性
本発明は前記以外の複数画面表示用装置に適用することができる。また表示面に液晶表示素子やＣＲＴやＬＥＤディスプレイを用いることにより、屋外でも使用可能な明るく大きな多画面を低コストで作成することが可能となる。
【図面の簡単な説明】
【０１２５】
図１は本発明の複数画面同時表示装置の全体構成を説明する概念図、図２は本発明の第１の実施形態例の表示面混合画の詳細を示す要部構成図、図３は本発明の第１の実施形態例の構成を示す平面図、図４は本発明の第１の実施形態例の構成を示す斜視図、図５は本発明の第２の実施形態例の表示面混合画の詳細を示す要部構成図、図６は本発明の第２の実施形態例の構成を示す斜視図、図７は本発明の第３の実施形態例を表し、図７Ａは構成を示す斜視図、図７Ｂは表示画面の様子を示す説明図、図８は本発明の第４の実施形態例を示す構成図、図９は本発明の第５の実施形態例を示す構成図、図１０は本発明の実施形態例を表し、複数画面表示用映像情報の第１の入れ子の状態（横ライン分割）を示す構成図、図１１は本発明の実施形態例を表し、複数画面表示用映像情報の第２の入れ子の状態（縦ライン分割）を示す構成図、図１２は本発明の実施形態例を表し、複数画面表示用映像情報の第３の入れ子の状態（市松状）を示す構成図、図１３は本発明の実施形態例を表し、複数画面表示用映像情報のクロストーク低減のための信号形態を示す構成図、図１４は本発明の実施形態例を表し、複数画面表示用映像情報生成システムの構成を示すブロック図、図１５は本発明の実施形態例を表し、複数画面表示用映像情報の構成を示す説明図、図１６は本発明の他の実施形態例を表し、図１６Ａは原映像を示す説明図、図１６Ｂは第２の表示画面用映像情報を静止画とした場合の２画面の斜視図、図１７は本発明の実施形態例を表し、２画面表示用映像情報の構成を示す説明図、図１８は他の実施形態例を表し、図１８Ａは原映像を示す説明図、図１８Ｂは第２の表示画面用映像情報を抽出画像とした場合の２画面の斜視図、図１８Ｃは第２の表示画面用映像情報を消去画像とした場合の２画面の斜視図、図１９は他の実施形態例を表し、図１９Ａは原映像を示す説明図、図１９Ｂは第２の表示画面用映像情報を拡大画像とした場合の２画面の斜視図、図２０は他の実施形態例を表し、図２０Ａは原映像を示す説明図、図２０Ｂは第２の表示画面用映像情報を視点変換画像とした場合の２画面の斜視図、図２１は他の実施形態例を表し、２画面表示用映像情報を生成するためのシステム構成を示すブロック図、図２２は他の実施形態例を表し、図２２Ａは原映像を示す説明図、図２２Ｂは第２の表示画面用映像情報を文字情報とした場合の２画面の斜視図、図２３は他の実施形態例を表し、図２３Ａは原映像を示す説明図、図２３Ｂは第２の表示画面用映像情報を、音声を文字化した情報とした場合の２画面の斜視図、図２４は他の実施形態例を表し、２画面表示用映像情報を生成するためのシステム構成を示すブロック図、図２５は他の実施形態例を表し、図２５Ａは原映像を示す説明図、図２５Ｂは第２の表示画面用映像情報を複数の文字情報とした場合の２画面の斜視図、図２６は他の実施形態例を表し、２画面表示用映像情報を生成するためのシステム構成を示すブロック図、図２７は他の実施形態例を表し、第１の表示画面に作画情報が、第２の表示画面に作成画像が各々表示されている２画面の斜視図、図２８は他の実施形態例を表し、２画面表示用映像情報を生成するためのシステム構成を示すブロック図、図２９は他の実施形態例を表し、作業領域の拡張、拡大表示等を説明する説明図、図３０は従来のミラーを用いて２枚の画像を分別する表示装置の構成図、図３１は従来のミラーを用いて２枚の画像を分別する表示装置が適用された商品の外観を示す斜視図である。
【図１】
0004834948.tif 000002
【図２】
0004834948.tif 000003
【図３】
0004834948.tif 000004
【図４】
0004834948.tif 000005
【図５】
0004834948.tif 000006
【図６】
0004834948.tif 000007
【図７Ａ】
0004834948.tif 000008
【図７Ｂ】
0004834948.tif 000009
【図８】
0004834948.tif 000010
【図９】
0004834948.tif 000011
【図１０】
0004834948.tif 000012
【図１１】
0004834948.tif 000013
【図１２】
0004834948.tif 000014
【図１３】
0004834948.tif 000015
【図１４】
0004834948.tif 000016
【図１５Ａ】
0004834948.tif 000017
【図１５Ｂ】
0004834948.tif 000018
【図１６Ａ】
0004834948.tif 000019
【図１６Ｂ】
0004834948.tif 000020
【図１７Ａ】
0004834948.tif 000021
【図１７Ｂ】
0004834948.tif 000022
【図１８Ａ】
0004834948.tif 000023
【図１８Ｂ】
0004834948.tif 000024
【図１８Ｃ】
0004834948.tif 000025
【図１９Ａ】
0004834948.tif 000026
【図１９Ｂ】
0004834948.tif 000027
【図２０Ａ】
0004834948.tif 000028
【図２０Ｂ】
0004834948.tif 000029
【図２１】
0004834948.tif 000030
【図２２Ａ】
0004834948.tif 000031
【図２２Ｂ】
0004834948.tif 000032
【図２３Ａ】
0004834948.tif 000033
【図２３Ｂ】
0004834948.tif 000034
【図２４】
0004834948.tif 000035
【図２５Ａ】
0004834948.tif 000036
【図２５Ｂ】
0004834948.tif 000037
【図２６】
0004834948.tif 000038
【図２７】
0004834948.tif 000039
【図２８】
0004834948.tif 000040
【図２９】
0004834948.tif 000041
【図３０】
0004834948.tif 000042
【図３１Ａ】
0004834948.tif 000043
【図３１Ｂ】
0004834948.tif 000044